(57)【要約】      （修正有）【課題】蓋体の開口する方向を簡便な手段で複数としたスーツケースを提供する。【解決手段】スーツケースは、通常、箱体１と蓋体２をヒンジで連結し、箱体１の開口部の周縁部分にファスナーを装着しており、ヒンジは、底足を有する面Ｃか、キャスター１０を有する面Ｄのいずれか一方に設けられ、蓋体２を開口する方向が特定されている。本考案のスーツケースは、底足を有する面Ｃに第１ヒンジを設けるとともに第１ファスナー３を周設し、かつ、キャスター１０を有する面Ｄに第２ヒンジを設けるとともに第２ファスナー４を第１ファスナー３に隣接して設けている。または、第２ヒンジと第２ファスナー４に代えて、メインハンドル７を有する面Ｂに第３ヒンジを設けるとともに第３ファスナーを該第１ファスナー３に隣接して設けた。【選択図】図１
0003215431.tif 000002
【実用新案登録請求の範囲】
【請求項１】
箱体と蓋体がヒンジで連結されファスナーで開閉される直方体状のスーツケースにおいて、底足を有する面に第１ヒンジを設けるとともに外の３面が開閉するように第１ファスナーを設け、かつ、キャスターを有する面に第２ヒンジを設けるとともに外の３面が開閉するように第２ファスナーを該第１ファスナーに隣接して設けるか、または、メインハンドルを有する面に第３ヒンジを設けるともに外の３面が開閉するように第３ファスナーを該第１ファスナーに隣接して設けたことを特徴とするスーツケース。
【請求項２】
箱体と蓋体がヒンジで連結されファスナーで開閉される直方体状のスーツケースにおいて、底足を有する面に第１ヒンジを設けるとともに外の３面が開閉するように第１ファスナーを設け、かつ、メインハンドルを有する面に第３ヒンジを設けるとともに外の３面が開閉するように第３ファスナーを該第１ファスナーに隣接して設け、さらに、キャスターを有する面に第２ヒンジを設けるとともに外の３面が開閉するように第２ファスナーを該第１ファスナー第３ファスナーに隣接して設けたことを特徴とするスーツケース。
【請求項３】
前記第１ファスナーと第２ファスナーと第３ファスナーを備えたスーツケースに、さらに、キャリーハンドルの有する面に第４ヒンジを設けるとともに外の３面が開閉するように第４ファスナーを設けたことを特徴とする請求項２に記載のスーツケース。
【請求項４】
箱体側と蓋体側を隔離する仕切膜を前記第１ファスナー近傍に設け、該仕切膜にはいずれの方向からでも開閉するための両面ファスナーが付設されたことを特徴とする請求項１〜請求項３に記載のスーツケース。
【考案の詳細な説明】
【技術分野】
【０００１】
本考案は、蓋体の開口方向を複数有するスーツケースに関するものである。
【背景技術】
【０００２】
スーツケースは、箱体と蓋体をヒンジで連結し、箱体の開口部の周縁部分にファスナーを周設してこれのスライダーを操作することによって蓋体を開閉するようにしている。
ヒンジは、通常、底足を有する面（メインハンドルを有する面に対向する面）か、キャスターを有する面に設けられ、前者の場合はスーツケースをメインハンドルが手前になるように横長に置いてファスナーの開閉操作を行って、底足を有する面以外の３面を開閉している。また、後者の場合はキャリーハンドルが手前になるように縦長に置いてファスナーの開閉操作を行って、キャスターを有する面以外の３面を開閉している。
【０００３】
蓋体の開く方向はヒンジが設けられた位置によって一方向に定まっているので、例えば、 スーツケースを無造作に置いたときなどで開口部が反対側になってしまった場合には、開口するときは、持ちあげるか回転させるなどして開口部（ヒンジが付いている面と対向する面）を手前にしなければならない。スーツケースには荷物が詰まっており、かなりの重量であるので、スーツケースの向きを変えるのも大変で、場合によってはスーツケースに傷がついたり、床に傷がついたりすることもある。
このため、蓋体の開く方向が、上下又は左右のいずれも可能なスーツケースが望まれている。この要望に答えるものとして、開口場所を自由に変更することができるようにしたスーツケースが開発されている（特許文献１参照）。
【先行技術文献】
【特許文献】
【０００４】
【特許文献１】実用新案登録３１２８０４７号公報
【考案の概要】
【考案が解決しようとする課題】
【０００５】
特許文献１のスーツケースは、開口部の周縁部分に沿ってエンドレス状にファスナーを装着し、該ファスナーの端部に止め具を設けると共に、該ファスナーを開閉するスライダーを移動可能に装着し、両スライダー間にファスナー噛合部を有するようにしたものである。そして、止め具の両側に配したスライダーをそれぞれ移動してファスナー噛合部の位置を変えることにより蓋体の開口方向を自由に変更することができるようにしている。
【０００６】
特許文献１のスーツケースは、大きさが小型である場合は、かなり有効で便利である。しかしながら、開口ファスナーが１本で作製されているため、オープンさせる位置によってはファスナーのスライダーの取り回しが長くなり、海外旅行などで使用する大型の場合は、開口する位置を変更するのは大変な作業となる。また、ヒンジがないこともあって、開口時にファスナーに無理な荷重がかかり易く、スムーズに開閉できなかったり、損傷し易いという問題がある。
【０００７】
本考案は、上記の問題を解消するため開発されたものであり、蓋体の開口する方向を簡便な手段で複数としたスーツケースを提供することを目的としている。
【課題を解決するための手段】
【０００８】
上記の目的を解決するため、請求項１の考案のスーツケースは、次のように構成した。すなわち、箱体と蓋体がヒンジで連結されファスナーで開閉される直方体状のスーツケースにおいて、底足を有する面に第１ヒンジを設けるとともに外の３面が開閉するように第１ファスナーを設け、かつ、キャスターを有する面に第２ヒンジを設けるとともに外の３面が開閉するように第２ファスナーを該第１ファスナーに隣接して設けるか、または、メインハンドルを有する面に第３ヒンジを設けるとともに外の３面が開閉するように第３ファスナーを該第１ファスナーに隣接して設けたことを特徴としている。
【０００９】
このスーツケースは、第１ファスナーまたは第２ファスナーのいずれかを開放することにより、スーツケースの長辺側か短辺側が開放される。第２ヒンジおよび第２ファスナーに変えて第３ヒンジおよび第３ファスナーとした場合は、長辺側の左右いずれかを開放できる。
スーツケースは硬質樹脂製に限らず、柔軟な素材のものでもよい。
箱体と蓋体が開閉されるスーツケースの側面には、縦長に置いたとき、上面にキャリーハンドルとサイドハンドル、下面にキャスター、側面の一方側にメインハンドル、他方側に底足が通常設けられる。
【００１０】
本考案は、これらの全てを備えてないスーツケースにも適用される。例えば、サイドハンドルを備えてキャリーハンドルがないもの、または、逆に、キャリーハンドルを備えてサイドハンドルがないものや、キャスターや底足を設けてないものなどである。
したがって、本考案で底足を有する面とは、底足が設けられていない場合はメインハンドルを有する面に対向する面を意味する。また、キャスターの有する面とは、キャスターが設けられていない場合はキャリーハンドル（またはサイドハンドル）を有する面に対向する面を意味する。
また、ファスナーを開閉するためのスライダーは、通常、ヒンジと対向する面の中央に設けられるが、メインハンドルやサイドハンドルなどがある場合はこれをズラして設置するとよい。
【００１１】
請求項２の考案は、箱体と蓋体がヒンジで連結されファスナーで開閉される直方体状のスーツケースにおいて、底足を有する面に第１ヒンジを設けるとともに外の３面が開閉するように第１ファスナーを設け、かつ、メインハンドルを有する面に第３ヒンジを設けるとともに外の３面が開閉するように第３ファスナーを該第１ファスナーに隣接して設け、さらに、キャスターを有する面に第２ヒンジを設けるとともに外の３面が開閉するように第２ファスナーを該第１ファスナー第３ファスナーに隣接して設けたことを特徴としている。
【００１２】
このスーツケースは、第１ファスナーまたは第３ファスナーを開放することにより長辺側の左右いずれかを開放できる。さらに、第２ファスナーを開放することにより短辺側の上側（キャリーハンドルのある側）が開放される。
なお、請求項３に記載のように、キャリーハンドルの有する面に第４ヒンジを設けるとともに外の３面が開閉するように第４ファスナーを設ければ、スーツケースの側面４面のいずれでも開閉できる。
【００１３】
また、箱体側と蓋体側とを隔離する仕切は、請求項４に記載のように、仕切膜を前記第１ファスナー近傍に設けるとよい。そして、仕切膜にはいずれの方向からでも開閉するための両面ファスナーを付設するとよい。
【考案の効果】
【００１４】
本考案のスーツケースは、上記のように、底足を有する面に第１ヒンジを設けるとともに外の３面が開閉するように第１ファスナーを設け、かつ、キャスターを有する面に第２ヒンジを設けるとともに外の３面が開閉するように第２ファスナーを該第１ファスナーに隣接して設けるか、または、メインハンドルを有する面に第３ヒンジを設けるともに外の３面が開閉するように第３ファスナーを該第１ファスナーに隣接して設けたので、スーツケースから荷物を出し入れするとき、ケースの置く向きを無造作に置いた場合でも、いずれか手前または近くにあるスライダーを開閉することにより荷物の出し入れができる。よって、大型のスーツケースで荷物が入った重量のある場合でも、持ち上げたり回したりしなくても開閉できる。
【００１５】
また、使用頻度を想定して、請求項２に記載のように、開口箇所を３方向としたり、請求項３に記載のように４方向とすることができる。
さらに、請求項４に記載のように、仕切膜を前記第１ファスナー近傍に設けると、箱体側と蓋体側の仕切膜を兼用でき、従来のような、箱体側の仕切膜と蓋体側の仕切膜の間の無駄なスペースをなくすることができる。
【図面の簡単な説明】
【００１６】
【図１】請求項１の考案のスーツケースの実施の形態を示す全体斜視図で、第１ヒンジを底足を有する面に設け、第２ヒンジをキャスターを有する面に設けたものである。
【図２】同、（ａ）は、第１ファスナーを開いて蓋体を開口したときの状態を示す側面図で、（ｂ）は、第２ファスナーを開いて蓋体を開口したときの状態を示す側面図である。
【図３】同、第１ヒンジを底足を有する面に設けるとともに、第３ヒンジをキャスターを有する面に設けた斜視図である。
【図４】同、第１ファスナーおよび第３ファスナーの両方を開いて蓋体を開口したときの状態を示す斜視図である。
【図５】請求項２の考案のスーツケースの実施の形態を示すもので、（ａ）は、全体を示す側面図，（ｂ）は、第１ファスナーを開いて蓋体を開口したときの状態を示す側面図で、（ｃ）は、第２ファスナーを開いて蓋体を開口したときの状態を示す側面図、（ｄ)は、第３ファスナーを開いて蓋体を開口したときの状態を示す側面図である。
【図６】請求項３の考案のスーツケースの実施の形態を示すもので、（ａ）は、全体を示す側面図，（ｂ）は、第１ファスナーを開いて蓋体を開口したときの状態を示す側面図で、（ｃ）は、第２ファスナーを開いて蓋体を開口したときの状態を示す側面図で、（ｄ)は、第３ファスナーを開いて蓋体を開口したときの状態を示す側面図、（ｅ)は、第４ファスナーを開いて蓋体を開口したときの状態を示す側面図である。
【考案を実施するための形態】
【００１７】
本考案のスーツケースの実施の形態を、図１〜図６に基づいて説明する。
図１は、請求項１のスーツケースの実施の形態を示すもので、縦長に置いたときの全体を示す斜視図である。スーツケースは、硬質樹脂からなる箱体１と蓋体２がヒンジとファスナーで連結され、上部にキャリーハンドル９とサイドハンドル８が、下端の四隅にキャスター１０が設けられ、側面にメインハンドル７が設けられている。ここでは、説明を簡素化するため、箱体１と蓋体２が合わさる面について、上部のキャリーハンドル９を有する面をＡ面、メインハンドル７を有する面をＢ面、Ｂ面に対向する面をＣ面、キャスター１０を有する面をＤ面と称して説明する。
【００１８】
図１のスーツケースには図示されてないが、Ｃ面に底足１１と第１ヒンジ３Ａが設けられ、Ｄ面には、第２ヒンジ４が設けられている。図において、３は第１ファスナー、４は第２ファスナーである。なお、第１ファスナー３および第２ファスナー４にはこれを開閉するためのスライダーが設けられている。なお、スライダーの操作をできないようにするための鍵が設けられるが、ここでは、省略している。
図１のスーツケースは、このように構成されているので、Ｂ面が手前になるように置いて、第１ファスナー３のスライダー（通常、Ｂ面の中央に位置している）を左右へ操作して開放して蓋体２を開けると図２（ａ）の状態となる。
一方、Ａ面が手前になるように置いて、第２ファスナー４のスライダーを左右へ操作して開放して蓋体２を開けると図２（ｂ）の状態となる。
【００１９】
図３は、図１のスーツケースと殆ど同じであり、相違点は、第２ヒンジ４Ａおよび第２ファスナー４に変えて、第３ヒンジ５ＡをＢ面に設けるととともに、第３ファスナー５を第１ファスナー３に連設したものである。
このように構成されているので、Ｂ面が手前になるように置いて、第１ファスナー３を開閉する（図２（ａ）の状態）か、Ｃ面が手前になるように置いて、第３ファスナー５を開閉することができる。図４は、第１ファスナー３と第３ファスナー５の両方を開口したときの状態を示している。
【００２０】
図４において１５は、仕切膜であり、両面ファスナー１５ａ（表側からも裏側からも開閉可能）が設けられ、第１ファスナー３または第３ファスナー５のいずれを開口した時でも蓋体側または箱体側へアクセスできる。また、箱体１と蓋体２の仕切をファスナー部分に設けることができ、無駄な空間がない。なお、図において、１６は、バンドである。
【００２１】
図５は請求項２に記載のスーツケースの実施の形態を示すもので、（ａ）は全体を示す側面図である。このスーツケースは、図３のスーツケースに第２ヒンジ４Ａおよび第２ファスナー４を追加したものである。第２ヒンジ４Ａは、Ｄ面に設けられている。
このように構成されているので、図３のスーツケースと同じく、Ｂ面が手前になるように置いて、第１ファスナー３を開口すれば図５（ｂ）の状態となり、Ｃ面が手前になるように置いて、第３ファスナー５を開口すれば図５（ｄ）の状態になる。
さらに、Ａ面が手前になるように置いて、第２ファスナーを開口すれば、図５（ｃ）の状態になる。
【００２２】
図６は、図５のスーツケースに、さらに、第４ヒンジ６Ａと第４ファスナー６を追加して設けたもので、（ａ）は、全体を示す側面図である。第４ヒンジ６Ａは、Ａ面に設けられている。
このように構成されているので、図５のスーツケースと同じく、Ｂ面が手前になるように置いて、第１ファスナー３を開口すれば図６（ｂ）の状態となり、Ｃ面が手前になるように置いて、第３ファスナー５を開口すれば図６（ｄ）の状態になる。
また、Ａ面が手前になるように置いて、第２ファスナーを開口すれば、図６（ｅ）の状態になる。さらに、Ｄ面が手前になるように置いて、第４ファスナーを開口すれば、図６（ｃ）の状態になる。
【符号の説明】
【００２３】
１  箱体
２  蓋体
３  第１ファスナー
３Ａ  第１ヒンジ
４  第２ファスナー
４Ａ  第２ヒンジ
５  第３ファスナー
５Ａ  第３ヒンジ
６  第４ファスナー
６Ａ  第４ヒンジ
７  メインハンドル
８  サイドハンドル
９  キャリーハンドル
１０  キャスター
１１  底足
１５  仕切膜
１５ａ  両面ファスナー
１５ｂ  ポケット
１６  バンド
Ａ  キャリーハンドル９を有する面
Ｂ  メインハンドルを有する面
Ｃ  底足を有する面
Ｄ  キャスター１０を有する面
【図１】
0003215431.tif 000003
【図２】
0003215431.tif 000004
【図３】
0003215431.tif 000005
【図４】
0003215431.tif 000006
【図５】
0003215431.tif 000007
【図６】
0003215431.tif 000008
【手続補正書】
【提出日】平成30年1月18日(2018.1.18)
【手続補正１】
【補正対象書類名】実用新案登録請求の範囲
【補正対象項目名】全文
【補正方法】変更
【補正の内容】
【実用新案登録請求の範囲】
【請求項１】
箱体と蓋体がヒンジで連結されファスナーで開閉される直方体状のスーツケースにおいて、底足を有する面に第１ヒンジを設けるとともに外の３面が開閉するように第１ファスナーを設け、かつ、キャスターを有する面に第２ヒンジを設けるとともに外の３面が開閉するように第２ファスナーを該第１ファスナーに隣接して設けるか、または、メインハンドルを有する面に第３ヒンジを設けるともに外の３面が開閉するように第３ファスナーを該第１ファスナーに隣接して設けたことを特徴とするスーツケース。
【請求項２】
箱体と蓋体がヒンジで連結されファスナーで開閉される直方体状のスーツケースにおいて、底足を有する面に第１ヒンジを設けるとともに外の３面が開閉するように第１ファスナーを設け、かつ、メインハンドルを有する面に第３ヒンジを設けるとともに外の３面が開閉するように第３ファスナーを該第１ファスナーに隣接して設け、さらに、キャスターを有する面に第２ヒンジを設けるとともに外の３面が開閉するように第２ファスナーを該第１ファスナーまたは該第３ファスナーの少なくとも一方に隣接して設けたことを特徴とするスーツケース。
【請求項３】
前記第１ファスナーと第２ファスナーと第３ファスナーを備えたスーツケースに、さらに、キャリーハンドルの有する面に第４ヒンジを設けるとともに外の３面が開閉するように第４ファスナーを設けたことを特徴とする請求項２に記載のスーツケース。
【請求項４】
箱体側と蓋体側を隔離する仕切膜を前記第１ファスナー近傍に設け、該仕切膜にはいずれの方向からでも開閉するための両面ファスナーが付設されたことを特徴とする請求項１から請求項３のいずれかに記載のスーツケース。
【手続補正２】
【補正対象書類名】明細書
【補正対象項目名】００１１
【補正方法】変更
【補正の内容】
【００１１】
請求項２の考案は、箱体と蓋体がヒンジで連結されファスナーで開閉される直方体状のスーツケースにおいて、底足を有する面に第１ヒンジを設けるとともに外の３面が開閉するように第１ファスナーを設け、かつ、メインハンドルを有する面に第３ヒンジを設けるとともに外の３面が開閉するように第３ファスナーを該第１ファスナーに隣接して設け、さらに、キャスターを有する面に第２ヒンジを設けるとともに外の３面が開閉するように第２ファスナーを該第１ファスナーまたは該第３ファスナーの少なくとも一方に隣接して設けたことを特徴としている。